(57)【要約】【課題】バランサーを火炎から保護しつつ縦枠部材内に留めることが可能な上げ下げ窓を提供する。【解決手段】横枠部材と縦枠部材とが枠組みされて室内外に連通する開口部に設けられた枠体と、前記横枠部材と前記縦枠部材とに囲まれた、前記枠体の内側に昇降自在に設けられた障子と、前記縦枠部材に収容されて前記障子を所定の位置にて保持するためのバランサーと、前記障子と前記バランサーとを連結する連結部材と、前記縦枠部材内に設けられ加熱されて膨張する加熱発泡材と、を備え、前記縦枠部材は、前記障子の昇降に伴う前記連結部材の移動を可能とする開放部を有しており、前記縦枠部材内には、前記バランサーの前記開放部側への移動を規制する規制部材が備えられている。【選択図】図８
2014224352.tif 000002
【特許請求の範囲】
【請求項１】
横枠部材と縦枠部材とが枠組みされて室内外に連通する開口部に設けられた枠体と、
前記横枠部材と前記縦枠部材とに囲まれた、前記枠体の内側に昇降自在に設けられた障子と、
前記縦枠部材に収容されて前記障子を所定の位置にて保持するためのバランサーと、
前記障子と前記バランサーとを連結する連結部材と、
前記縦枠部材内に設けられ加熱されて膨張する加熱発泡材と、
を備え、
前記縦枠部材は、前記障子の昇降に伴う前記連結部材の移動を可能とする開放部を有しており、
前記縦枠部材内には、前記バランサーの前記開放部側への移動を規制する規制部材が備えられていることを特徴とする上げ下げ窓。
【請求項２】
請求項１に記載の上げ下げ窓であって、
前記バランサーは下端側に合成樹脂製の部位を有し、
前記加熱発泡材は、膨張した際に前記合成樹脂製の部位を覆うべく配置され、
前記規制部材は、前記加熱発泡材より上方に配置されていることを特徴とする上げ下げ窓。
【請求項３】
請求項１または請求項２に記載の上げ下げ窓であって、
前記加熱発泡材は、前記バランサーに対して、火炎側および前記火炎と室内外方向の反対側にて膨張すべく２箇所に設けられ、
前記規制部材は、前記バランサーに対し前記火炎と室内外方向の反対側に設けられる第１壁部と、
見付け方向において前記バランサーと前記開放部との間に設けられる第２壁部と、
を備えていることを特徴とする上げ下げ窓。
【請求項４】
請求項１乃至請求項３のいずれかに記載の上げ下げ窓であって、
前記開放部を形成する部位と前記規制部材とにより形成される空隙の幅は、前記バランサーの幅より狭いことを特徴とする上げ下げ窓。
【請求項５】
請求項１乃至請求項３のいずれかに記載の上げ下げ窓であって、
前記規制部材は、
前記縦枠部材内において前記バランサーに対して前記開放部と反対側の部位に、前記開放部側からビス止めされており、
前記ビス止めされている位置は、取り外された前記バランサーが前記縦枠部材内に立て掛けられた高さより高いことを特徴とする上げ下げ窓。
【発明の詳細な説明】
【技術分野】
【０００１】
本発明は、昇降自在に設けられた障子を備えた上げ下げ窓に関する。
【背景技術】
【０００２】
昇降自在に設けられた障子を備えた上げ下げ窓としては、例えば、上昇させた障子から手を離しても降下しないように、障子を所定の位置にて保持するために、縦枠内にスパイラルバランサーが設けられている上げ下げ窓が知られている（例えば、特許文献１参照）。このスパイラルバランサーは縦枠外に設けられる障子と連結されるため、障子が昇降する際に、スパイラルバランサーと障子との連結部分の昇降を可能とすべく縦枠の障子側の部位が開放されている。
【０００３】
スパイラルバランサーは、螺旋形状をなすスパイラルロッドが螺合状態で貫通するように形成したスリットを備える合成樹脂製のガイド部材が下端側に設けられている。このため、火災などにより火炎に晒されても合成樹脂製の部品が溶融しないように、加熱された際に発泡して合成樹脂製の部品を覆う加熱発泡材が、スパイラルバランサーが設けられている縦枠内に設けられている上げ下げ窓がある。
【先行技術文献】
【特許文献】
【０００４】
【特許文献１】特開第４７９１２２４号公報
【発明の概要】
【発明が解決しようとする課題】
【０００５】
上記のように縦枠のような縦枠部材内に加熱発泡材が設けられている上げ下げ窓は、加熱されて加熱発泡材が膨張したときに、発泡した加熱発泡材によりスパイラルバランサーのようなバランサーが縦枠部材の開放されている部位から縦枠部材外に押し出されて、より溶融されやすくなってしまうおそれがあるという課題がある。
【０００６】
本発明は、かかる課題に鑑みてなされたものであり、その目的とするところは、バランサーを縦枠部材内に留めるとともに火炎から保護することが可能な上げ下げ窓を提供することにある。
【課題を解決するための手段】
【０００７】
かかる目的を達成するために本発明の上げ下げ窓は、横枠部材と縦枠部材とが枠組みされて室内外に連通する開口部に設けられた枠体と、前記横枠部材と前記縦枠部材とに囲まれた、前記枠体の内側に昇降自在に設けられた障子と、前記縦枠部材に収容されて前記障子を所定の位置にて保持するためのバランサーと、前記障子と前記バランサーとを連結する連結部材と、前記縦枠部材内に設けられ加熱されて膨張する加熱発泡材と、を備え、前記縦枠部材は、前記障子の昇降に伴う前記連結部材の移動を可能とする開放部を有しており、前記縦枠部材内には、前記バランサーの前記開放部側への移動を規制する規制部材が備えられていることを特徴とする上げ下げ窓である。
【０００８】
このような上げ下げ窓によれば、バランサーが収容されている縦枠部材内に、加熱されて膨張する加熱発泡材が設けられている。このため、上げ下げ窓が加熱された際には、加熱発泡材が膨張することにより縦枠部材内のバランサーが覆われるので、バランサーを火炎から保護することが可能である。また、縦枠部材内には、バランサーの開放部側への移動を規制する規制部材が設けられているので、たとえ膨張した加熱発泡材によりバランサーが押圧されたとしても、規制部材により開放部側への移動が規制される。このため、バランサーを縦枠部材内に留めるとともに火炎から保護することが可能である。
【０００９】
かかる上げ下げ窓であって、前記バランサーは下端側に合成樹脂製の部位を有し、前記加熱発泡材は、膨張した際に前記合成樹脂製の部位を覆うべく配置され、前記規制部材は、前記加熱発泡材より上方に配置されていることが望ましい。  
このような上げ下げ窓によれば、加熱発泡材はバランサーの下端側にて合成樹脂製の部位を有する位置に設けられ、規制部材は、加熱発泡材より上方に設けられている。このため、膨張した加熱発泡材と規制部材とは干渉しないので、加熱発泡材は、より確実に合成樹脂製の部位を覆って合成樹脂製の部位の火炎による溶融を防止することが可能であり、規制部材はバランサーをより確実に縦枠部材内に留めることが可能である。
【００１０】
かかる上げ下げ窓であって、前記加熱発泡材は、前記バランサーに対して、火炎側および前記火炎と室内外方向の反対側にて膨張すべく２箇所に設けられ、前記規制部材は、前記バランサーに対し前記火炎と室内外方向の反対側に設けられる第１壁部と、見付け方向において前記バランサーと前記開放部との間に設けられる第２壁部と、を備えていることが望ましい。  
このような上げ下げ窓によれば、加熱発泡材は、バランサーに対して、火炎側および火炎と室内外方向の反対側において膨張すべく２箇所に設けられているので、加熱発泡材がバランサーを、火炎側および火炎と室内外方向の反対側から回り込むように覆ってより確実に保護することが可能である。このとき、火炎側に設けられた加熱発泡材の方が早く発泡してバランサーを火炎と室内外方向の反対側に押圧する可能性があるが、バランサーに対し火炎と室内外方向の反対側には第１壁が設けられているので、バランサーの火炎と室内外方向の反対側への移動を規制することが可能である。また、規制部材はバランサーと開放部との間に配置される第２壁部を有しているので、バランサーが開放部側に移動することをより確実に防止することが可能である。
【００１１】
かかる上げ下げ窓であって、前記開放部を形成する部位と前記規制部材とにより形成される空隙の幅は、前記バランサーの幅より狭いことが望ましい。  
このような上げ下げ窓によれば、開放部を形成する部位と規制部材とにより形成される空隙の幅が、バランサーの幅より狭いので、たとえバランサーが開放部側に押圧されたとしても、開放部の外側に移動することを防止することが可能である。
【００１２】
かかる上げ下げ窓であって、前記規制部材は、前記縦枠部材内において前記バランサーに対して前記開放部と反対側の部位に、前記開放部側からビス止めされており、前記ビス止めされている位置は、取り外された前記バランサーが前記縦枠部材内に立て掛けられた高さより高いことが望ましい。  
このような上げ下げ窓によれば、バランサーが取り外されて縦枠部材内に立て掛けられたときには、規制部材がバランサーの上方に位置して水平方向に並ばないので、規制部材を固定しているビスを開放側から外して規制部材を取り外すことが可能である。規制部材を外した後には、バランサーは上方に引き上げて枠体から取り外すことが可能である。このため、経年劣化等により交換が必要となるバランサーを容易に着脱することが可能である。
【発明の効果】
【００１３】
本発明によれば、バランサーを縦枠部材内に留めるとともに火炎から保護することが可能な上げ下げ窓を提供することが可能である。
【図面の簡単な説明】
【００１４】
【図１】本実施形態に係る上げ下げ窓を示す斜視図である。
【図２】上げ下げ窓を示す縦断面図である。
【図３】上げ下げ窓を示す横断面図である。
【図４】スパイラルバランサーの構成を示す縦断面図である。
【図５】縦枠内に設けられたスパイラルバランサー、規制部材及び熱膨張性黒鉛を示す縦断面図である。
【図６】室内側の障子を外した上げ下げ窓を示す斜視図である。
【図７】図５におけるＡ−Ａ断面図である。
【図８】図５におけるＢ−Ｂ断面図である。
【図９】図９（ａ）は、規制部材の正面図であり、９（ｂ）は、規制部材の側面図であり、図９（ｃ）は、規制部材の平面図である
【図１０】スパイラルバランサーの交換方法を説明するための図である。
【発明を実施するための形態】
【００１５】
以下、本発明の一実施形態に係る上げ下げ窓について図面を参照して説明する。
【００１６】
本実施形態では、昇降自在に設けられた障子を備えた上げ下げ窓として、図１〜図３に示すような、室内側と室外側とにそれぞれ、昇降可能な上げ下げ障子（以下、障子という）１０、１１を備えた上げ下げ窓１を例に挙げて説明する。
【００１７】
上げ下げ窓１は、一対の縦枠部材としての縦枠３と横枠部材としての上枠４及び下枠５とが矩形状に枠組みされて室内外に連通する開口部に設けられ、一対の縦枠３と上枠４及び下枠５とに囲まれた、枠体２の内側に昇降自在に設けられた障子１０が、枠体２にて形成される開口を閉止した状態にて、室内側の障子１０が下側に位置し、室外側の障子１１が上側に位置している。
【００１８】
以下の説明においては、上げ下げ窓１を室内側から見たときに、上下となる方向を上下方向、左右となる方向を左右方向または見付け方向・面内方向、室内外方向である奥行き方向を見込み方向として示す。尚、上げ下げ窓１を構成する各部材は、単体として説明する場合であっても、建物等に取り付けられた状態で上下方向、左右方向、見込み方向等となる方向にて方向を特定して説明する。
【００１９】
２枚の障子１０、１１は同一の部材であり、いずれも上下の横框１２と左右の縦框１３とが框組みされた矩形状の框体１４の内側にガラス板１５が嵌め込まれている。上側に位置する室外側の障子１１には上側の横框１２に、下側に位置する室内側の障子１０には下側の横框１２に、それぞれ昇降操作するための把持部１２ａが設けられている。このため、室外側の障子１１と室内側の障子１０とは、上下を反転させて備えられている。
【００２０】
枠体２は、２枚の障子１０、１１の左右に配置される一対の縦枠３と上枠４及び下枠５とにより矩形状に枠組みされている。左右の縦枠３には、枠体２の内側に配置される２枚の障子１０、１１がそれぞれ有する左右の縦框１３の側面１３ａと対向し、障子１０、１１側に開放された溝部３ａが、室外側の障子１１と室内側の障子１０とに対応させてそれぞれ設けられている。
【００２１】
左右の縦枠３がそれぞれ有する２つの溝部３ａには、対向する溝部３ａ間に設けられる各障子１０、１１を昇降自在に支持するとともに、昇降方向の所定の位置にて保持するためのバランサーとしてのスパイラルバランサー２０がそれぞれ設けられている。
【００２２】
スパイラルバランサー２０は、図４に示すように、各縦枠３の溝部３ａ内の上端側にストッパー１９により縦枠３に沿って固定されるパイプ２１と、パイプ２１内に上下方向に進退自在に挿着されるロッド２２と、パイプ２１内に設けられロッド２２を任意の位置にて停止させるための付勢力を付与する付勢部材２３と、パイプ２１内に固定されてロッド２２が挿通され付勢部材２３の一端部が嵌着されるエンドキャップ２４と、を有している。
【００２３】
パイプ２１は、アルミニウム等の金属からなる筒状の部材であり、長手方向の上端部の内周側に略筒状をなす金属製の後述するエンドキャップ２４が嵌着されており、長手方向の開放された下端部に径方向内方に環状に突出するフランジ部２１ａが一体に設けられている。
【００２４】
ロッド２２は、ステンレス等の金属から形成される帯板を捩じって螺旋状に形成した螺旋状部２２ａを有し、パイプ２１の内周側に往復動自在に挿着されている。ロッド２２の下端部分２２ｂ及び上端部分２２ｃは平板状をなしており、下端部分２２ｂ及び上端部分２２ｃとの間に螺旋状部２２ａが設けられている。ロッド２２の平板状の下端部分２２ｂに障子１０、１１の下側の横框１２が連結部材２８を介して連結され、上端部分２２ｃに抜け止め用の樹脂製のストッパー１９が取り付けられている。ロッド２２は、パイプ２１内に最も没入した状態で、下端部分２２ｂの先端部がパイプ２１の下端開口部２１ｂから外方に所定量突出するように、長さが設定されている
エンドキャップ２４は、パイプ２１の内周に嵌合される筒状の大径部２４ａと、大径部２４ａに連続して設けられる筒状の小径部２４ｂとからなり、このエンドキャップ２４の大径部２４ａ及び小径部２４ｂの内周側をロッド２２の上端部分２２ｃが挿通し、小径部２４ｂの外周側に螺旋ばね２３２の長手方向の一端部が嵌着されている。
【００２５】
付勢部材２３は、パイプ２１の下端部内周側に回転自在に装着されるとともに、内周側の一部がロッド２２の螺旋状部２２ａと螺合し略筒状をなす合成樹脂製のカップリング２３１と、パイプ２１の内周側に設けられる螺旋ばね２３２と、から構成され、カップリング２３１の内周側をロッド２２が進退自在に挿通している。
【００２６】
カップリング２３１は、ほぼ全体がパイプ２１内に収納されるとともに、下端部がパイプ２１の下端開口部２１ｂから外方に所定量突出して露出している。カップリング２３１の外周側のパイプ２１のフランジ部２１ａに隣接し、径方向に環状に突出するフランジ部２３１ａがパイプ２１のフランジ部２１ａの内面側にワッシャ２７を介して当接されることにより、カップリング２３１がパイプ２１から抜け出ないように構成されている。
【００２７】
カップリング２３１の内周のフランジ部２３１ａに対応する部分には、径方向内方に突出する一対の突起２３１ｂがカップリング２３１の軸線を中心として対向配置され、この一対の突起２３１ｂがカップリング２３１の内周側を挿通するロッド２２の螺旋状部２２ａと螺合している。これにより、ロッド２２の進退に追従してカップリング２３１が正逆回転する。
【００２８】
螺旋ばね２３２は、パイプ２１の内周面に沿って設けられるとともに、長手方向の上端部がエンドキャップ２４の小径部２４ｂの外周側に嵌着され、下端部がカップリング２３１の外周側に嵌着されている。
【００２９】
螺旋ばね２３２は、障子１０、１１を最も上昇させたときに、障子１０、１１が自重によって落下しないように、障子１０、１１を取り付ける際に、ロッド２２を回転させてカップリング２３１を回転させることにより、初期ばね力が付与される。
【００３０】
そして、初期ばね力が付与された状態で、障子１０、１１を下降させることにより、ロッド２２及びカップリング２３１が回転し、螺旋状ばね２３２が巻き締められてばね力が強められ、このばね力によってカップリング２３１の突起２３１ｂがロッド２２の螺旋状部２２ａに強く圧接され、障子１０、１１が昇降方向の任意の位置に停止される。
【００３１】
各障子１０、１１の下側の横框１２の左右端に連結部材２８を介してロッド２２の下端部側が連結されたスパイラルバランサー２０の上端部が、枠体２の溝部３ａ内における上端部に固定されて、構成されている。このとき、連結部材２８は、枠体２が有する溝部３ａの内側に開放された開放部としてのスリット３ｂを介してスパイラルバランサー２０と障子１０、１１の下側の横框１２とに渡って固定されている。そして、障子１０、１１が昇降する際には、連結部材２８が溝部３ａのスリット３ｂを形成する縁部３ｃと摺動しつつ移動可能に構成されている。
【００３２】
スパイラルバランサー２０は、図６に示すように、枠体２に取り付けられた状態にて、上下方向におけるほぼ中央に、パイプ２１の下端開口部２１ｂから外方にカップリング２３１が突出して露出している。
【００３３】
枠体２が有する溝部３ａには、図５に示すように、パイプ２１の下端開口部２１ｂより高い位置からほぼ下枠５に至る位置まで、加熱されて発泡する耐火性の加熱発泡材としての熱膨張性黒鉛２９が設けられている。より具体的には、図７に示すように、枠体２の見込み方向に沿う壁部２ａをなして溝部３ａの開放されているスリット３ｂに臨む部位、すなわち、溝部３ａ内に設けられたスパイラルバランサー２０に対してスリット３ｂと反対側に位置する壁部２ａに、シート状の熱膨張性黒鉛２９が貼り付けられている。この熱膨張性黒鉛２９は、壁部２ａの見込み方向における中央にて互いに間隔を隔てるように、室内側と室外側とに分けて設けられている。
【００３４】
また、溝部３ａ内には、図５に示すように、熱膨張性黒鉛２９が設けられている壁部２ａに、熱膨張性黒鉛２９の上端より上方に位置させて、スパイラルバランサー２０のスリット３ｂ側への移動を規制する規制部材３０がビス止めされている。
【００３５】
規制部材３０は、図８、図９に示すように、溝部３ａに固定されビス３５が貫通される孔部３１ａを有しほぼ矩形状をなす固定部３１と、固定部３１の一縁からほぼ直角に延出された延出壁部３２と、固定部３１と互いに間隔を隔ててほぼ平行に対向する対向壁部３３と、対向壁部３３と延出壁部３２とを４５度の傾斜をなして繋ぐ中継壁部３４とを有している。また、対向壁部３３の固定部３１と対向する面には、障子１０、１１の昇降動作の際に揺れるスパイラルバランサー２０が接触した際の衝撃を抑える緩衝材３３１が設けられている。図７、図８については、室外側の溝部３ａに設けられているスパイラルバランサー２０、熱膨張性黒鉛２９、規制部材３０等を省略しており、左右の縦枠３の一方のみについて示しているが、他方側も同様の構成である。
【００３６】
固定部３１が有する孔部３１ａは、上部側と下部側とに偏らせて配置されており、固定部３１と対向する対向壁部３３は孔部３１ａを貫通するビス３５を螺着させるためのドライバーが通るように上下方向における中央部側にて固定部３１及び延出壁部３２より上下方向の幅が狭く形成されている。
【００３７】
この規制部材３０は、図８に示すように、固定部３１と対向壁部３３との間にスパイラルバランサー２０が配置され、かつ、スパイラルバランサー２０に対して、溶融される可能性がより高い火炎と室内外方向の反対側に延出壁部３２が配置されるように、溝部３ａ内においてスパイラルバランサー２０に対してスリット３ｂと反対側の部位にスリット３ｂ側からビス３５によりビス止めされる。ここで、溶融される可能性がより高い火炎とは、熱によりパイプ２１の下端開口部２１ｂより外方に突出しているカップリング２３１が、特に溶融される可能性が高い火炎であり、室内側に設けられた障子１０を支持するスパイラルバランサー２０では、室内側にて発生する火炎であり、室外側に設けられた障子１１を支持するスパイラルバランサー２０では、室外側にて発生する火炎である。
【００３８】
そして、室内側にて発生した火炎により上げ下げ窓１が加熱されると、室内側に設けられた障子１０を支持するスパイラルバランサー２０が設けられている縦枠３の溝部３ａ内に設けられた熱膨張性黒鉛２９のうち、室内側に位置する熱膨張性黒鉛２９が先に発泡する。このとき、規制部材３０が設けられていない場合には、スパイラルバランサー２０の縦枠３側および室内側に発泡する熱膨張性黒鉛２９により、スパイラルバランサー２０がスリット３ｂから縦枠３の外側に押し出されるおそれがある。このため、室内側に溝部３ａに設けられる規制部材３０は、固定部３１の室外側の一縁から延出壁部３２が延出され、延出壁部３２と繋がって中継壁部３４および対向壁部３３が設けられており、室外側に溝部３ａに設けられる規制部材３０は、固定部３１の室内側の一縁から延出壁部３２が延出され、延出壁部３２と繋がって中継壁部３４および対向壁部３３が設けられている。ここで、延出壁部３２および中継壁部３４がスパイラルバランサー２０に対し火炎側と室内外方向の反対側に設けられる第１壁部に相当し、対向壁部３３が見付け方向においてスパイラルバランサー２０とスリット３ｂとの間に設けられる第２壁部に相当する。
【００３９】
規制部材３０が固定された状態で、対向壁部３３の先端３３ａとスリット３ｂを形成する縦枠３の縁部３ｃとの間隔は、スパイラルバランサー２０の直径より狭くなるように構成されている。
【００４０】
スパイラルバランサー２０は経年劣化などにより交換する場合があるため着脱可能であることが要求される。上記のようにスパイラルバランサー２０と規制部材３０とが取り付けられている場合には、スパイラルバランサー２０と障子１０、１１とが連結部材２８にて連結されているのでスパイラルバランサー２０を上方に引き抜くことはできない。すなわち、まず、規制部材３０を取り外さないとスパイラルバランサー２０を取り外すことはできない。しかしながら、スパイラルバランサー２０が取り付けられた状態では、規制部材３０はスリット３ｂ側から規制部材３０を固定しているビス３５をドライバーにより外すことはできない。このため、本上げ下げ窓１は、規制部材３０を備えつつもスパイラルバランサー２０を交換できるように、スパイラルバランサー２０の上端の固定部を外して溝部３ａ内に落として立て掛けたときに、スパイラルバランサー２０の上縁２０ａより上方に規制部材３０が位置するように設けられている。
【００４１】
そして、スパイラルバランサー２０を取り外す際には、まず、障子１０を取り外した状態にて、スパイラルバランサー２０の上端側で固定しているストッパー１９を取り外す。これにより、スパイラルバランサー２０は上端での固定が外され下に落下し、溝部３ａ内に立て掛けられた状態となる。この状態で、ストッパー１９は縦枠３から取り外されて縦枠３の上端に設けられた切り欠き部３ｄが露出するとともに、スパイラルバランサー２０の上縁２０ａが規制部材３０より下に位置して、規制部材３０を固定しているビス３５がスリット３ｂ側に露出する。図１０においては、室外側の障子１１を省略しているが、スパイラルバランサー２０の取り外し時には、室外側の障子１１は取り外さなくとも構わない。
【００４２】
次に、規制部材３０を、固定しているビス３５とともに取り外す。規制部材３０が取り外されたことにより、スパイラルバランサー２０の下端に取り付けられている連結部材２８を縦枠３の上端、すなわち切り欠き部３ｄまで引き上げることが可能となる。
【００４３】
次に、スパイラルバランサー２０を引き上げて、縦枠３の上端に設けられた切り欠き部３ｄから上方に引き抜き、連結部材２８とともに枠体２から取り外す。その後、新たなスパイラルバランサー２０を取り付ける場合には、取り外し手順を逆に行う。
【００４４】
本実施形態の上げ下げ窓１によれば、スパイラルバランサー２０が収容されている縦枠３の溝部３ａ内に、加熱されて膨張する熱膨張性黒鉛２９が設けられている。このため、上げ下げ窓１が加熱された際には、熱膨張性黒鉛２９が膨張することにより縦枠３内のスパイラルバランサー２０が覆われるのでスパイラルバランサー２０を火炎から保護することが可能である。また、縦枠３の溝部３ａ内には、スパイラルバランサー２０のスリット３ｂ側への移動を規制する規制部材３０が設けられているので、たとえ膨張した熱膨張性黒鉛２９によりスパイラルバランサー２０が押圧されたとしても、規制部材３０によりスリット３ｂ側への移動が規制される。このため、スパイラルバランサー２０を縦枠３内に留めるとともに火炎から保護することが可能である。
【００４５】
また、規制部材３０は、スパイラルバランサー２０が有するパイプ２１の下端開口部２１ｂより外方に突出しているカップリング２３１の露出する部位を保護すべく設けられた熱膨張性黒鉛２９より上方に設けられている。このため、熱膨張性黒鉛２９が膨張したとしても規制部材３０とは干渉しないので、熱膨張性黒鉛２９は、より確実にスパイラルバランサー２０を覆い、規制部材３０はスパイラルバランサー２０をより確実に縦枠３内に留めることが可能である。
【００４６】
また、熱膨張性黒鉛２９は、スパイラルバランサー２０に対して、溶融される可能性が高い火炎側、および、この火炎と室内外方向の反対側において膨張すべく２箇所に設けられているので、熱膨張性黒鉛２９がスパイラルバランサー２０を、火炎側および火炎側と室内外方向の反対側から回り込むように覆ってより確実に保護することが可能である。このとき、火炎側に設けられた熱膨張性黒鉛２９の方が早く膨張してスパイラルバランサー２０を火炎と室内外方向の反対側に押圧する可能性があるが、スパイラルバランサー２０に対し火炎と室内外方向の反対側には延出壁部３２および中継壁部３４が設けられているので、スパイラルバランサー２０の火炎と室内外方向の反対側への移動を規制することが可能である。また、規制部材３０はスパイラルバランサー２０とスリット３ｂとの間に配置される対向壁部３３を有しているので、スパイラルバランサー２０がスリット３ｂの方向に移動することをより確実に防止することが可能である。
【００４７】
また、対向壁部３３の先端３３ａとスリット３ｂを形成する縦枠３の縁部３ｃとの間隔、すなわち、スリット３ｂと規制部材３０とにより形成される空隙の幅は、スパイラルバランサー２０の直径より狭いので、たとえスパイラルバランサー２０がスリット３ｂ側に押圧されたとしても、スリット３ｂの外側に移動することを防止することが可能である。
【００４８】
また、スパイラルバランサー２０の上端側の固定が取り外されて縦枠３の溝部３ａ内に立て掛けられたときには、スパイラルバランサー２０と規制部材３０とが水平方向において重ならないので、規制部材３０を固定しているビス３５をスリット３ｂ側から外して規制部材３０を取り外すことが可能である。規制部材３０が外れた後には、スパイラルバランサー２０は上方に引き上げて縦枠３の上部に設けられた切り欠き部３ｄから取り外すことが可能である。このため、経年劣化等により交換が必要となるスパイラルバランサー２０を容易に着脱することが可能である。
【００４９】
また、上記実施形態においては、室内外に２枚の障子１０、１１を備えた例について説明したが、いずれか一方が固定されており、他方のみが昇降自在に設けられた上げ下げ窓であっても構わない。
【００５０】
なお、上記実施形態は、本発明の理解を容易にするためのものであり、本発明を限定して解釈するためのものではない。本発明は、その趣旨を逸脱することなく、変更、改良され得ると共に、本発明にはその等価物が含まれることはいうまでもない。
【符号の説明】
【００５１】
１  上げ下げ窓、２  枠体、２ａ  壁部、３  縦枠、３ａ  溝部、３ｂ  スリット、
３ｃ  縁部、１０  障子、１１  障子、２０  スパイラルバランサー、
２３  付勢部材、２８  連結部材、２９  熱膨張性黒鉛、３０  規制部材、
３２  延出壁部、３３  対向壁部、３３ａ  先端、３４  中継壁部、
２３１  カップリング、
【図１】
2014224352.tif 000003
【図２】
2014224352.tif 000004
【図３】
2014224352.tif 000005
【図４】
2014224352.tif 000006
【図６】
2014224352.tif 000007
【図７】
2014224352.tif 000008
【図８】
2014224352.tif 000009
【図９】
2014224352.tif 000010
【図１０】
2014224352.tif 000011
【図５】
2014224352.tif 000012